【手続補正書】
【提出日】平成28年10月21日(2016.10.21)
【手続補正１】
【補正対象書類名】明細書
【補正対象項目名】発明の名称
【補正方法】変更
【補正の内容】
【発明の名称】情報処理装置及びその制御方法、並びにプログラム
【手続補正２】
【補正対象書類名】明細書
【補正対象項目名】０００１
【補正方法】変更
【補正の内容】
【０００１】
本発明は、情報処理装置及びその制御方法、並びにプログラムに関する。
【手続補正３】
【補正対象書類名】明細書
【補正対象項目名】００１７
【補正方法】変更
【補正の内容】
【００１７】
本発明の目的は、原稿を撮像し、撮像した原稿を示す画像を表示する情報処理装置を利用するユーザの操作性を向上させた情報処理装置及びその制御方法、並びにプログラムを提供することにある。
【手続補正４】
【補正対象書類名】明細書
【補正対象項目名】００１８
【補正方法】変更
【補正の内容】
【００１８】
上記目的を達成するために、本発明の情報処理装置は、原稿を置くことが可能な台を備える情報処理装置であって、前記台の上の撮像領域に置かれた原稿を撮像する撮像手段と、前記撮像手段により撮像することで得られた前記原稿の画像を、前記台の上の撮像領域内に投影する投影手段と、前記撮像領域に置かれた次の原稿を前記撮像手段により撮像するのに先立って、前記投影手段により投影されていた前記原稿の画像を前記撮像領域内に投影しないように制御する制御手段と、を有することを特徴とする。また、上記目的を達成するために、本発明の情報処理装置は、原稿を置くことが可能な台を備える情報処理装置であって、前記台の上の撮像領域に置かれた原稿を撮像する撮像手段と、前記撮像手段により撮像することで得られた前記原稿の画像を、前記台の上の撮像領域内に投影する投影手段と、前記台の上の検出領域への次の原稿の侵入状況を判定する判定手段と、前記検出領域への前記次の原稿の侵入状況に基づいて、前記原稿の画像を縮小したサムネイル画像を、前記次の原稿と重ならない位置に投影するように制御する制御手段と、を有することを特徴とする。
【手続補正５】
【補正対象書類名】明細書
【補正対象項目名】００１９
【補正方法】変更
【補正の内容】
【００１９】
本発明によれば、原稿を撮像し、撮像した原稿を示す画像を表示する情報処理装置を利用するユーザの操作性を向上させることができる。
【手続補正６】
【補正対象書類名】特許請求の範囲
【補正対象項目名】全文
【補正方法】変更
【補正の内容】
【特許請求の範囲】
【請求項１】
原稿を置くことが可能な台を備える情報処理装置であって、
前記台の上の撮像領域に置かれた原稿を撮像する撮像手段と、
前記撮像手段により撮像することで得られた前記原稿の画像を、前記台の上の撮像領域内に投影する投影手段と、
前記撮像領域に置かれた次の原稿を前記撮像手段により撮像するのに先立って、前記投影手段により投影されていた前記原稿の画像を前記撮像領域内に投影しないように制御する制御手段と、を有することを特徴とする情報処理装置。
【請求項２】
前記台の上の検出領域への前記次の原稿の侵入状況を判定する判定手段を更に有し、
前記制御手段は、前記検出領域への前記次の原稿の侵入状況に基づいて前記原稿の画像を前記撮像領域内に投影しないように制御することを特徴とする請求項１記載の情報処理装置。
【請求項３】
前記検出領域へ前記次の原稿が侵入したことを判定するのに従って、前記制御手段は、前記原稿の画像を前記撮像領域内に投影しないように制御することを特徴とする請求項２記載の情報処理装置。
【請求項４】
前記検出領域へ前記次の原稿が侵入したことを判定してから予め定められた時間が経過するのに従って、前記制御手段は、前記原稿の画像を前記撮像領域内に投影しないように制御することを特徴とする請求項２記載の情報処理装置。
【請求項５】
前記制御手段は、前記検出領域に侵入した前記次の原稿と前記検出領域との重なりの割合が大きくなるほど、前記原稿の画像の濃度を薄くして前記原稿の画像を前記撮像領域内に投影しないように制御することを特徴とする請求項２乃至４のいずれか１項に記載の情報処理装置。
【請求項６】
前記判定手段は、前記検出領域へ手が侵入したことを判定し、
前記検出領域へ前記手が侵入したことを判定したことに従って、前記制御手段は、前記原稿の画像を前記撮像領域内へ投影することを継続することを特徴とする請求項２乃至５のいずれか１項に記載の情報処理装置。
【請求項７】
前記検出領域は、前記撮像領域であることを特徴とする請求項１乃至６のいずれか１項に記載の情報処理装置。
【請求項８】
前記検出領域は、前記原稿の画像が投影された投影領域であることを特徴とする請求項１乃至６のいずれか１項に記載の情報処理装置。
【請求項９】
前記投影手段は、前記台の上の前記原稿が置かれた位置に、前記原稿の画像を投影することを特徴とする請求項１乃至８のいずれか１項に記載の情報処理装置。
【請求項１０】
原稿を置くことが可能な台を備える情報処理装置であって、
前記台の上の撮像領域に置かれた原稿を撮像する撮像手段と、
前記撮像手段により撮像することで得られた前記原稿の画像を、前記台の上の撮像領域内に投影する投影手段と、
前記台の上の検出領域への次の原稿の侵入状況を判定する判定手段と、
前記検出領域への前記次の原稿の侵入状況に基づいて、前記原稿の画像を縮小したサムネイル画像を、前記次の原稿と重ならない位置に投影するように制御する制御手段と、を有することを特徴とする情報処理装置。
【請求項１１】
前記制御手段は、前記サムネイル画像を予め定められた領域に投影するように制御することを特徴とする請求項１０記載の情報処理装置。
【請求項１２】
前記検出領域へ前記次の原稿が侵入したことを判定するのに従って、前記制御手段は、前記サムネイル画像を前記予め定められた領域に投影するように制御することを特徴とする請求項１０又は１１記載の情報処理装置。
【請求項１３】
前記検出領域は、前記撮像領域であることを特徴とする請求項１０乃至１２のいずれか１項に記載の情報処理装置。
【請求項１４】
前記検出領域は、前記原稿の画像が投影されている投影領域であることを特徴とする請求項１０乃至１２のいずれか１項に記載の情報処理装置。
【請求項１５】
前記投影手段は、前記台の上の前記原稿が置かれた位置に、前記原稿の画像を投影することを特徴とする請求項１０乃至１４のいずれか１項に記載の情報処理装置。
【請求項１６】
原稿を置くことが可能な台を備える情報処理装置の制御方法であって、
前記台の上の撮像領域に置かれた原稿を撮像する撮像工程と、
前記撮像工程において撮像することで得られた前記原稿の画像を、前記台の上の撮像領域内に投影する投影工程と、
前記撮像領域に置かれた次の原稿を撮像するのに先立って、前記投影工程において投影されていた前記原稿の画像を前記撮像領域内に投影しないように制御する制御工程と、を有することを特徴とする情報処理装置の制御方法。
【請求項１７】
原稿を置くことが可能な台を備える情報処理装置の制御方法であって、
前記台の上の撮像領域に置かれた原稿を撮像する撮像工程と、
前記撮像工程において撮像することで得られた前記原稿の画像を、前記台の上の撮像領域内に投影する投影工程と、
前記台の上の検出領域への次の原稿の侵入状況を判定する判定工程と、
前記検出領域への前記次の原稿の侵入状況に基づいて、前記原稿の画像を縮小したサムネイル画像を、前記次の原稿と重ならない位置に投影するように制御する制御工程と、を有することを特徴とする情報処理装置の制御方法。
【請求項１８】
原稿を置くことが可能な台を備える情報処理装置の制御方法をコンピュータに実行させるプログラムであって、
前記情報処理装置の制御方法は、
前記台の上の撮像領域に置かれた原稿を撮像する撮像工程と、
前記撮像工程において撮像することで得られた前記原稿の画像を、前記台の上の撮像領域内に投影する投影工程と、
前記撮像領域に置かれた次の原稿を撮像するのに先立って、前記投影工程において投影されていた前記原稿の画像を前記撮像領域内に投影しないように制御する制御工程と、を有することを特徴とするプログラム。
【請求項１９】
原稿を置くことが可能な台を備える情報処理装置の制御方法をコンピュータに実行させるプログラムであって、
前記情報処理装置の制御方法は、
前記台の上の撮像領域に置かれた原稿を撮像する撮像工程と、
前記撮像工程において撮像することで得られた前記原稿の画像を、前記台の上の撮像領域内に投影する投影工程と、
前記台の上の検出領域への次の原稿の侵入状況を判定する判定工程と、
前記検出領域への前記次の原稿の侵入状況に基づいて、前記原稿の画像を縮小したサムネイル画像を、前記次の原稿と重ならない位置に投影するように制御する制御工程と、を有することを特徴とするプログラム。